(57)【要約】【課題】風力タービンにおける能動的流れ変更装置を提供する。【解決手段】風力タービンブレード（１０）は、風力タービン上に設置され、側面（１２）及び先端（１５）を含む。ブレードは、該ブレードに対して風の流れ（８）が当たると軸線（９０）の周りで回転するように構成される。能動的流れ変更装置（２０）は、ブレード上に配置される。能動的流れ変更装置は、能動的流れ命令を受信しかつブレード近傍の風の流れを変更するように構成される。得られた風力タービンブレードは、これらの能動的流れ変更を使用して、荷重の減少、空気力学的損失の低下、騒音の低減、エネルギー捕捉の向上又はそれらの組合せを達成する。【選択図】      図１
2006177354.tif 000002
【特許請求の範囲】
【請求項１】
風力タービン上に設置され、側面（１２）及び先端（１５）を含みかつそれに対して風の流れ（８）が当たると軸線（９０）の周りで回転するように構成された風力タービンブレード（１０）と、
前記ブレード近傍の風の流れを変更するように構成されかつ能動的流れ命令を受信するように構成されている、該ブレード上に配置された能動的流れ変更装置（２０）、とを具備することを特徴とする風力タービン。
【請求項２】
前記能動的流れ変更装置が複式バイモルフ合成噴流装置を含むことを特徴とする請求項１記載の風力タービン。
【請求項３】
前記能動的流れ変更装置が、前記風力タービンに作用する荷重を減少させることによって該風力タービンに作用する荷重を軽減するように構成され、前記風力タービンブレードが、前記能動的流れ変更装置がない状態で運転仕様の範囲内にあるとした場合よりも大きい寸法を有することを特徴とする請求項１記載の風力タービン。
【請求項４】
前記能動的流れ変更装置が、前記側面上に配置されかつ流れ剥離を変更するように構成されていることを特徴とする請求項１記載の風力タービン。
【請求項５】
前記能動的流れ変更装置が、前記ブレード近傍の風の流れにほぼ沿って大きい運動量及び渦度の成分を有する非定常噴流を導入することによって流れ剥離を抑制するように構成されていることを特徴とする請求項４記載の風力タービン。
【請求項６】
前記能動的流れ変更装置が、前記ブレード近傍の風の流れに対して実質的に破壊性の大きい運動量の成分を有する非定常噴流を導入することによって流れ剥離を促進するように構成されていることを特徴とする請求項４記載の風力タービン。
【請求項７】
前記能動的流れ変更装置が、前記先端上に配置されかつ先端渦を変更するように構成されていることを特徴とする請求項１記載の風力タービン。
【請求項８】
それに対して風の流れ（８）が当たると軸線（９０）の周りで回転可能なブレード（１０）を含む風力タービンを運転する方法であって、
前記風力タービンの少なくとも１つの運転状況の現在の状態を取得する段階と、
前記少なくとも１つの運転状況の現在の状態に応答して前記ブレード近傍の風の流れを能能動に変更する段階と、を具備する風力発電の制御方法。
【請求項９】
側面（１２）及び先端（１５）を含みかつそれに対して風の流れ（８）が当たると軸線（９０）の周りで回転するように構成された風力タービンブレードと、
複式バイモルフ合成噴流装置を含みかつ前記ブレード上に配置された能動的流れ変更装置（２０）と、を含み、
前記能動的流れ変更装置が、前記ブレード近傍の風の流れを変更するように構成されかつ能動的流れ命令を受信するように構成されている、風力タービンブレード（１０）組立体。
【請求項１０】
前記能動的流れ変更装置が、前記側面上に配置されかつ前記ブレード近傍の風の流れの流れ剥離を変更するように構成されていることを特徴とする請求項９記載の風力タービンブレード組立体。
【請求項１１】
前記能動的流れ変更装置が、前記先端上に配置されかつ先端渦を変更するように構成されていることを特徴とする請求項９記載の風力タービンブレード組立体。
【発明の詳細な説明】
【技術分野】
【０００１】
本発明は、総括的には風力タービンの分野に関し、より具体的には荷重を減少させ、空気力学的損失を低下させ、エネルギー捕捉を向上させ、騒音を低減し、またそれらの組合せを行うための、風力タービンにおける能動的流れ変更に関する。
【背景技術】
【０００２】
風力タービンは、継続可能なエネルギー発生源の分野でますます重要になってきている。最近では、風力タービン技術は、大規模発電用途に使用されるようになってきている。風力エネルギーを利用する際に存在する多くの課題のうちで、その一つは、所定の風の状況においてシステム荷重を最小にしながら風力タービン性能を最大にすることである。エネルギーの最小コストをもたらす向上した風力タービン性能パラメータの非限定的な実例には、空気力学的効率の最大化、エネルギー出力の最大化、風力タービンシステム荷重の最小化、騒音の最小化及びそれらの組合せが含まれる。風力タービンシステム荷重の実例には、最大荷重（運転及び停止／アイドリング時の）及び疲労荷重が含まれる。
【０００３】
一般に、風力タービンブレード上の流れ剥離は、失速を招き、このことは風力タービンブレード設計において制約要因になることが多い。失速が起こると、ブレードによって発生する揚力が大きく低下し、風力によって風力タービンに加わる駆動力であるトルクの大きい成分が失われる。剥離を制御する（少なくするか又は遅らせる）ことができる能力を備えるようにする解決法により、風力タービンブレードは揚力を最大化することが可能になる。境界層剥離の問題を改善するために、例えば渦発生装置のような幾つかのパッシブ流れ制御の解決法が適用されてきたが、このような解決法の場合には、流れ制御が不要であるか又は望ましくない状態になったときに、流れ制御を停止させる機構が全く設けられていない。例えば、風力タービン設計における主な制約条件の１つは、システム荷重が原因になるものである。揚力を高めるために剥離制御の解決法を使用しているとき、風の状況が通常運転レベル又は予測レベルを超えて変化した場合に、ブレードは、破損誘発レベルに達するおそれがある高い荷重を受ける。
【０００４】
風力タービンのエネルギー出力を増大させる１つの有効な解決法は、例えばロータ寸法（直径）を大きくすることによってブレードの掃引面積を増大させることである。構造及び材料の限界に起因した大型のロータ（より厚い及びより大きい翼弦長）に作用するより大きいシステム荷重とブレード／タワー間隙とにより、一般的にこのようにロータを大きくすることが制約される。もう一つの課題は、突風又は暴風のような風の状況が変わることによって引き起こされ、これらの突風又は暴風は、発生する揚力が非常に大きいレベルに変動し又は増大するので風力タービンブレードの望ましくない荷重をもたらす。これらの荷重制約条件は多くの場合、風力タービンシステムのブレード及びその他の構成部品のコストを増大させることになり、このことは、エネルギーのコストと同様にシステムレベルの寸法基準に関してロータを大きくすることの利点を低下又は相殺することになる。
【０００５】
風力エネルギーを利用する際に存在するもう一つの課題は、風の流れによってブレードの先端に発生する先端渦の望ましくない作用に関連するものである。エネルギー利用損失を引き起こすのに加えて、これらの先端渦はさらに、ブレードの先端部から発する望ましくない騒音をもたらす。
【発明の開示】
【発明が解決しようとする課題】
【０００６】
要求に応じて揚力発生を巧みに操ることができる能力を備えたアクティブ剥離制御方法及びシステムと、その能力を利用してシステム荷重を減少させて、より高い性能の風力タービンを可能にするブレード設計概念とに対する必要性が存在する。このような能動的流れ変更方法は、全体として風力タービンをより効率的にしかつ騒音をより少なくするために付加的に又は代替的に利用することができる。
【課題を解決するための手段】
【０００７】
本発明の実施形態は、能動的流れ変更を使用して荷重、空気力学的損失、空気力学的騒音又はそれらの組合せを低減するようすることによって風力タービン性能を向上させることを目的とする。
【０００８】
本発明の幾つかの態様は、風力タービンブレードを含む風力タービン及び風力タービンブレード組立体にある。これらの態様では、風力タービンブレードは、風の流れが当たると軸線の周りで回転するように構成される。アクティブ流れ指令を受信するように構成された能動的流れ変更装置は、ブレード上に配置されかつブレード近傍の風の流れを変更するように構成される。
【０００９】
本発明の別の態様は、風力タービンの少なくとも１つの運転状況の現在の状態を取得する段階と、現在の状態に応答してブレード近傍の風の流れを能能動に変更する段階とによって風力タービンを運転して性能を向上させる方法にある。
【００１０】
本発明のさらに別の態様は、風力タービンブレードの設計であり、本設計は、風力タービンブレード上に能動的流れ変更装置を使用して、荷重を減少させかつ能動的流れ変更装置がない状態で運転仕様の範囲内にあるとした場合よりも風力タービンブレードの大きい寸法を可能にすることを含む。この適用例では、風力タービンは、より小さいブレードで発電する場合の必要揚力又は最大揚力を発生することになる。過酷な風の状況下では、風力タービンは、それらの状況におけるシステム荷重を軽減するように停止されることになる。システム荷重の制約条件に対処するこのような手段を有する場合には、風力タービンロータは、ブレード設計が流れ剥離制御システムの使用を含まない場合と同じ荷重限界の下で運転しながら、より高いエネルギー捕捉を生じるようなより大きい寸法にすることができる。
【００１１】
本発明のさらに別の態様は、風力タービンブレードの設計であり、本設計は、風力タービンブレードの先端上に能動的流れ変更装置を使用して、能動的流れ変更装置がない状態で運転仕様の範囲内にあるとした場合よりも空気力学的損失及び騒音を低下させることを含む。
【００１２】
本発明のさらに別の態様は、風力タービンブレードの設計であり、本設計は、断続又は持続のいずれかの状態で生じる望ましくない荷重を、風の状況を変化させることによって（例えば、剥離を開始させること及び揚力を低下させることによって）減少させるように使用することができる能動的流れ変更システムを組み込んで性能を向上させる。
【００１３】
本発明のさらに別の態様は、風力タービンブレードの設計であり、本設計は、能動的流れ変更システムを組み込み、能動的流れ変更システムを使用して風の状況を変化させることによって（例えば、必要な場合には剥離を開始させかつ揚力を低下させることによって、又は必要な場合には剥離を抑制することで揚力及び電力を増大させることによって）、断続又は持続のいずれかの状態で生じる揚力の発生及びその結果得られた電力出力の変化を調整する。
【発明を実施するための最良の形態】
【００１４】
本発明のこれら及びその他の特徴、態様及び利点は、図面全体を通して同一の符号が同様の部品を表す添付図面を参照して以下の詳細な説明を読むとき一層よく理解されるようになるであろう。
【００１５】
図１は、本発明の１つの実施形態による風力タービン１００を示す。風力タービン１００は、入射する風の流れ、例えば図示するような風の流れ８が当たると軸線９０の周りで回転するように構成された風力タービンブレード１０を含む。本明細書で使用する場合、「数詞」のない用語は、他に文脈によって特に記載し又は示していない限り、それらの「少なくとも１つの」及び複数の変形形態を意味することを理解されたい。回転軸線９０は、図１の座標系におけるＺ軸に沿っており、ブレード１０の回転面は、Ｘ−Ｙ平面であり、またＸ軸は紙面の平面から出てくる方向である。ブレード１０上にはさらに能動（アクティブ）流れ変更装置２０が配置され、ブレード及び能動的流れ変更装置２０は共に、風力タービンブレード組立体１７（図２に示す）を形成する。能動的流れ変更装置２０は、ブレード近傍の風の流れ８を変更し、それによって風力タービン上に作用する荷重を軽減するように構成される。「ブレード近傍の風の流れ」という用語は、風の流れ８の全部ではなく、ブレード（ブレード表面及び先端を含む）に近接した風の流れのその一部を意味するものとして理解されたい。ブレード近傍の風の流れは、それに限定されないが、ブレード表面上の風の流れゾーンとブレード先端部近くの先端渦とを含む。
【００１６】
図２は、本発明の態様による、風力タービンブレード１０とブレード１０上に様々な配向で配置された多数の能動的流れ変更装置２０とを含む風力タービンブレード組立体１７を示す。ブレード１０は、側面１２及び先端１５を含み、ブレード上に配置可能な能動的流れ変更装置２０は、側面１２上（少なくとも１つの側面上を意味する）及び先端１５上に様々な角度で任意選択的に配置される。側面１２は、長さ１３とその長さに沿って変わることになる幅１４とを有し、先端１５は、ブレード１０の端部部分を含む。能動的流れ変更装置２０はまた、側面１２と対向する第２の側面（図には示さず）上に配置することもできる。
【００１７】
能動的流れ変更装置２０は一般的に、時間依存方式で、所望の強さ及び所望の振動数の噴流を放出するように構成される。このような装置２０の非限定的な実例には、圧電合成噴流（piezoelectric synthetic jets）又はゼロ・マスアクチュエータ、他の合成噴流装置及びより具体的には複式バイモルフ合成噴流（ＤＢＳＪ：dual bimorph synthetic jet）装置が含まれる。ＤＢＳＪ装置は、それら装置が低い動力要件、低い重量増加、大きな制御機能（噴流強さ）、良好な振動数及び振幅範囲並びにコンパクト性を有し、従って風力タービンブレードシステムとの容易な統合を可能にするので、特に利点がある。他の実施形態では、能動的流れ変更装置システム２０は、合成噴流とは別の方法を使用して風の流れを変更するように構成することができる。例えば、パルス速度噴流を供給するフリップ・フロップ噴流（flip-flop jets）及び流体発振器のような他の非ゼロ・マス流れ作動装置（non-zero mass flow actuation devices）を、代替的に又は付加的に使用することができる。
【００１８】
図１に示すように、風力タービン１００はまた一般的に、機械エネルギーを電気エネルギーに変換する風力タービン発電機３０と、風力タービンブレードにより動力化した機械エネルギーを発電機３０に供給する歯車機構４０と、ヨー機構６０と、運転状況監視装置７０と、ブレードピッチ機構８０とを含む。制御装置５０は、少なくとも運転状況監視装置７０に動作可能に結合されて風力タービンの運転状況の現在の状態を取得するようになっており、またアクティブ流れ装置２０に動作可能に結合されて運転している間に風力タービンに対してアクティブ流れ制御を行うようになっている。制御装置５０はさらに、発電機３０、歯車機構４０、ヨー機構６０及びブレードピッチ機構８０に結合されて風力タービンの運転を制御し、或いは入力を受信することができるようになっている。制御装置５０と能動的流れ変更装置２０及びピッチ機構８０と間の結合は、説明の目的だけのために接続線を使用して図１に示しているが、必ずしも配線を示すものでなくむしろ装置を動作可能に結合するためのあらゆる適切な手段を含むことに留意されたい。
【００１９】
１つの実施形態では、能動的流れ変更装置２０は、ブレード近傍の流れ剥離を制御することによってブレードの周りの風の流れにおける能動的流れ変更を行い、それによって風力タービンブレードの荷重を減少させる。１つの方法によると、能動的流れ変更は、ブレード近傍の風の流れにおける流れ剥離を促進するように構成され、それによって風力タービンに利用可能な揚力を低下させる。この方法は、突風性の風に応答するように使用され、システム荷重を減少させる。別の方法によると、能動的流れ変更は、ブレード近傍の風の流れに非定常の空気力学的運動量及び渦度を付加することによって、ブレード近傍の風の流れにおける流れ剥離を防止する。このことは、風力タービンに利用可能な揚力を高めること、従って所定のブレード寸法でより多くの電力を発電すること又は小さいブレード寸法（つまり、より短い翼弦長さ、薄い厚さ又はそれらの組合せを有する）で同じ電力を発電することをもたらす。システム荷重を軽減することができる能力により、大きいロータ直径の使用が効果的に可能になると同時に、加えて、大きいロータブレードでより多くの電力を取り出すことができる能力により、このような大きいロータ直径を使用することが正しいことが判る。これらの方法により、利用可能なブレード寸法及びブレードによる有効電力が増大し、それによってロータブレードの改善がもたらされる。これらの方法を、以下により詳細に説明する。
【００２０】
上記のように、本発明の１つの態様は、所定のブレード寸法でより多くの電力を可能にすることにあり、或いはより小さいブレードを使用して、より大きいブレード（能動的流れ変更がない状態での）で発電することが可能になるのと同じ電力を発電するのを可能にすることにある。このことは、ブレードを設計している間に利用可能な（有効）揚力を高めた能動的流れ変更を考慮することによってかつ能動的流れ変更を使用して有効揚力を高めることによって可能になる。有効揚力を高める（強化する）ことによりさらに、より小さくかつより薄い翼形部により同じ量の電力が得られる。幾つかの実施形態では、揚力強化は初期設定であり、極度の風の状況（又は停止した風力タービン）においては、アクティブ流れ制御を停止させ、それによって風力タービンの望ましくない荷重負荷状況を緩和することができる。
【００２１】
上記のように、本発明の別の態様は、風力タービンを依然として運転仕様を満たすように設計しながらより大きいブレード寸法（能動的流れ変更がない状態で可能なよりも）を可能にすることにある。大きいブレードは、より多くの風力発電量を入手可能にする（有効揚力を高めることによって）利点があるが、極度の風の状況における課題を生じる可能性がある。このような状況においては、能動的流れ変更を使用して有効揚力を減少させることによって空気力学的性能を低下させ、それによってブレードが受ける揚力を減少させることができる。これにより、極度の風の状況におけるシステム荷重が軽減される。
【００２２】
より具体的には、図３〜図４で示すように、幾つかの実施形態では、能動的流れ変更装置２０は、ブレード１０の側面１２上に配置される。能動的流れ変更装置は、ブレード１０近傍の風の流れを変更することによって流れ剥離を制御するように構成される。
【００２３】
例えば、図３の実施形態では、流れ剥離は、能動的流れ変更装置によって抑制（剥離を少なくすること、遅らせること又はそれらの組合せを意味する）される。図３では実例目的で、流れ剥離ポイントは、能動的流れ変更がない状態で剥離ポイントが自然に生じることになる上流位置１６におけるのとは反対側の位置１８にあるものとして表している。１つの実施形態では、流れ剥離は、同様に図３の実施形態で示すように、ブレード近傍の風の流れにほぼ沿って大きい運動量及び渦度の成分を有する非定常（時間依存的な）の噴流２２を導入することによって抑制される。図３の噴流２２は、ブレード近傍の風の流れに運動量及び渦度を付加する。渦度及び運動量が能動的流れ変更によって付加されると、境界層の運動量不足が少なくとも部分的に補充され、流れ剥離が抑制され、かつ有効揚力が強化される。図３に示すように、剥離が抑制された流れは、揚力を付加するのを助け、それによって所定のブレード寸法においてタービン性能を増大させ、或いは所定の性能レベルにおいてブレード翼弦長さを減少させる。能動的流れ変更装置は、入射する風の流れに対して特定の角度で運動量及び渦度を付加することができ、またそのような角度は、所望の性能状況によって変えることができる。
【００２４】
図４で示す別の実施例では、流れ剥離は、能動的流れ変更装置によって促進される。図４では実例目的で、流れ剥離ポイントは、能動的な流れ変更がない状態で剥離ポイントが自然に生じることになる下流位置１６におけるのとは対照的に位置１８にあるものとして表している。図４の実施形態では、流れ剥離は、ブレード近傍の風の流れに対して実質的に破壊を引き起こす（破壊性の）大きい運動量の成分を有する非定常噴流２２を導入することによって促進される。図４の非定常噴流２２は、ブレード近傍の風の流れに流れ剥離を開始させる。破壊性の噴流２２は、ブレード近傍の自然な風の流れを妨害する斜めの噴流とすることができる。図４に示すように流れ剥離を促進することは、揚力の低下を生じさせ、望ましくない荷重負荷状況を軽減するのに使用することができる利点がある。このような望ましくない状況には、ブレードの荷重負荷（揚力の増大）及び風力タービンの荷重負荷の増大を招く風の流れ速度の上昇のようなケースが含まれる。説明したような実施形態により、図４に示すようにブレード近傍の風の流れを能能動に変更することによって、一部のケースではほぼ瞬間的に、揚力を人工的に低下させることができる利点がある。説明したように、能動的流れ変更装置は、入射する風の流れに対して特定の角度で破壊性の運動量を付加することができ、そのよう角度は、所望の性能状況によって変えることができる。
【００２５】
本発明の別の態様によると、能動的流れ変更は、風力タービン損失の低減（従って、空気力学的効率の増大）、ブレードの先端１５近くで発生する空気力学的騒音の低減、或いは損失及び騒音低減の組合せのために使用できる利点がある。図５で示す実施形態では、能動的流れ変更装置２０は、ブレード１０の先端１５上に配置される。この方法の１つの態様によると、能動的流れ変更装置は、ブレード１０近傍の風の流れを変更することによって先端渦２４を変更するように構成される。図５で示す実施形態では、先端渦２４は、先端渦２６によって示すように、先端渦２４（点線）を別の位置に移動させる非定常噴流２３を導入することによって変更される。他のケースでは、付加した噴流を使用して、先端渦の開始及び成長に影響を与え、或いは先端渦２４の発生及び軌道を変更させることができる。一般的に、噴流２３は、先端近くの流れの構造を変更して、渦を急速に消散させ、先端渦２４を先端から離れる方向に移動させ、或いは形成される先端渦の強さを弱める。
【００２６】
本発明の別の重要な態様は、これらの流れ変更装置２０が、既存のブレード実施形態の改造として配置するか又は新規のブレード実施形態を考え出すのに使用するかのいずれかとすることができることである。新規のブレード実施形態の場合には、剥離、従ってブレードの荷重負荷レベルを制御ことができる能力は、風力タービン翼形部／ブレード設計における最新技術を含むものを超えて、より新しくかつより進歩した或いは少なくともより広範な翼形部及びブレード形状を風力タービンブレードにおいて今後使用することができることを示唆している。このような新しい設計は、現在使用されているものよりもより高い空気力学的性能（例えば、揚力及び揚力対抗力比）及び効率を得るように最適化することができる。
【００２７】
説明したような方策は、とりわけブレード近傍の風の流れ８を能能動に変更するために制御装置５０を使用することができるものである。制御装置５０は、風力タービン１００の運転状況の現在の状態を受信しかつ運転状況の現在の状態に応答してブレード近傍の風の流れ８を能能動に変更するように構成される。運転状況には、それに限定されないが、周囲の風の状況、例えば風の流れ速度及び風の流れ方向が含まれる。一部の実施形態では、運転状況にはさらに、タービンの回転速度、ブレードのピッチ角度及び風力タービンのヨー角度が含まれる。
【００２８】
１つの実施形態では、制御装置５０は、少なくとも１つの運転状況の現在の状態に応答して少なくとも１つの能動的流れ変更装置２０に対して能動的流れ命令を与えるように構成される。１つの態様では、揚力を望ましくないレベルに大きく増大させる入射する風の速度の突然の上昇或いは風の方向の変化が発生すると、図４に示すように、制御装置５０が破壊性の非定常噴流を放出するように構成された能動的流れ変更装置２０を起動する。別の態様では、制御装置は、能動的流れ変更装置を作動状態に維持し、またシステム荷重を望ましくないレベルに増大させる可能性がある入射する風の速度又は方向の変化を検出したとき、それら能動的流れ変更装置を停止させる。
【００２９】
別の態様によると、利用可能な揚力が、低い風の流れ速度又は好ましくない風の流れ方向のために低くなる、従って発生する電力が低くなる可能性がある状況では、制御装置５０は、図３に示すように流れ剥離を抑制することによって揚力を高める非定常噴流を放出するように構成された能動的流れ変更装置を起動する。別の態様によると、制御装置５０は、図５で示すように、ブレードの先端近くの能動的流れ変更装置を起動して、先端渦を消散させるか又は先端渦を先端から離れる方向に移動させる。
【００３０】
様々な運転状況に応答して能動的流れ命令を使用することによる適切な応答方策は、当業者には明らかであり、このような明らかな方策は、本発明の技術的範囲及び技術思想内で具現化される。
例えば、能動的流れ変更装置が合成噴流を含む実施形態では、様々な応答方策には、それに限定されないが、合成噴流２２又は２３の速度を変更すること、合成噴流２２又は２３を導入する振動数を変更すること、側面１２上の２２の合成噴流の位置、先端１５上の合成噴流２３の位置、合成噴流２２又は２３の角度（噴流全体、噴流の孔又はそれらの組合せのいずれかを意味する）、合成噴流出口（孔又はスロット）の寸法、合成噴流出口（孔又はスロット）の形状、及びそれらの組合せが含まれる。
様々な応答方策は、例えば異なる方向又は位置において異なる出口寸法及び形状の多数の能動的流れ変更装置２０を配置しかつ能動的流れ変更装置を選択的に起動することによって実現することができる。
【００３１】
１つの実施形態では、制御装置５０はさらに、歯車及び発電機機能の現在の状態を受信するように構成されかつそれらの状態に応答して能動的流れ命令を提供するように構成される。
【００３２】
本明細書では、本発明の一部の特徴のみを例示しかつ説明してきたが、当業者には多くの改良及び変更が考え浮かぶであろう。従って、特許請求の範囲は、全てのそのような改良及び変更を本発明の技術思想の範囲内に属するものとして保護しようとするものであることを理解されたい。
【図面の簡単な説明】
【００３３】
【図１】本発明の１つの態様による風力タービンの概略側面図。
【図２】図１の実施形態に有用な風力タービンブレード組立体の部分斜視図。
【図３】本発明の１つの実施形態による図２のブレードの断面図。
【図４】本発明の別の実施形態による図２のブレードの断面図。
【図５】本発明のさらに別の実施形態による図２のブレードの部分斜視図。
【符号の説明】
【００３４】
８  風の流れ
１０  ブレード
１２  側面
１５  先端
１６，１８  剥離位置
１７  タービンブレード組立体
２０  能動的流れ変更装置
２２、２３  噴流
２４，２６  渦
３０  風力タービン発電機
４０  歯車機構
５０  制御装置
６０  ヨー機構
７０  運転状況監視装置
８０  ブレードピッチ機構
９０  軸線
１００  風力タービン
【図１】
2006177354.tif 000003
【図２】
2006177354.tif 000004
【図３】
2006177354.tif 000005
【図４】
2006177354.tif 000006
【図５】
2006177354.tif 000007
【手続補正書】
【提出日】平成18年2月1日(2006.2.1)
【手続補正１】
【補正対象書類名】明細書
【補正対象項目名】０００５
【補正方法】変更
【補正の内容】
【０００５】
風力エネルギーを利用する際に存在するもう一つの課題は、風の流れによってブレードの先端に発生する先端渦の望ましくない作用に関連するものである。エネルギー利用損失を引き起こすのに加えて、これらの先端渦はさらに、ブレードの先端部から発する望ましくない騒音をもたらす。
【特許文献１】米国特許第５，９５７，４１３号公報
【特許文献２】米国特許第５，９８３，９４４号公報
【特許文献３】米国特許第６，１０９，５６６号公報
【特許文献４】米国特許第６，３７１，４１４号公報
【特許文献５】米国特許第６，３７９，１１０号公報
【特許文献６】米国特許第６，３９０，４１８号公報
【特許文献７】米国特許第６，４１２，７３２号公報
【特許文献８】米国特許公開第２００２／０１３４８９１号公報
【特許文献９】米国特許公開第２００２／０１９５５２６号公報
【特許文献１０】米国特許第６，６４４，５９８号公報
【特許文献１１】米国特許第６，６８２，０２１号公報
【非特許文献１】Investigation of Vortex Generator for Augmentation of Wind turbine Power Performance. Qryton A. Griffin. December,1996 NREL／SR-440-21399
【外国語明細書】
2006177354000001.pdf